(57)【要約】      （修正有）【課題】簡単な構成で左右の検眼ユニットの検眼窓の高さを被検者の左右の眼の高さに合わせることができ、正確なデータを得ることができる自覚式検眼装置を提供する。【解決手段】一対の検眼ユニット１０Ｌ，１０Ｒの検眼窓Ｌｗ，Ｒｗの光軸（検査光軸４３，４３′）に同時に直交する線を交差線Ａ３としたとき、前記ユニット支持体９が前記支持部材（支持アーム７）に前記交差線Ａ３を傾斜調整可能に前記支持部材（支持アーム７）に支持され、前記交差線Ａ３の傾斜角度を検出する傾斜センサ２１が前記ユニット支持体９に設けられていると共に、前記光学部材のうち前記被検眼に対する傾斜角度が必要なデータを前記傾斜センサ２１から出力される傾斜信号に基づいて補正する補正手段（コントローラ３又はＣＰＵ４３）が設けられている。【選択図】  図１
2007061380.tif 000002
【特許請求の範囲】
【請求項１】
検眼窓から光学部材を介して視標を視認させることにより被検眼の自覚による検眼をそれぞれ検査する検眼ユニットが一対設けられたユニット支持体を備え、前記ユニット支持体が支持部材に吊下された自覚式検眼装置において、
前記一対の検眼ユニットの検眼窓の光軸に同時に直交する線を交差線としたとき、前記ユニット支持体が前記支持部材に前記交差線を傾斜調整可能に前記支持部材に支持され、前記交差線の傾斜角度を検出する傾斜センサが前記ユニット支持体に設けられていると共に、前記光学部材のうち前記被検眼に対する傾斜角度が必要なデータを前記傾斜センサから出力される傾斜信号に基づいて補正する補正手段が設けられていることを特徴とする自覚式検眼装置。
【発明の詳細な説明】
【技術分野】
【０００１】
この発明は、検眼窓から光学部材を介して視標を視認させることにより被検眼の自覚による検査をする検眼ユニットが一対設けられた自覚式検眼装置に関するものである。
【背景技術】
【０００２】
一般に、眼鏡店等で使用される自覚式検眼装置としては、上下動及び水平回動可能な支持アームにユニット支持体を吊下し、このユニット支持体に左右一対の検眼ユニットを相対接近・離反可能に装着することにより、左右一対の検眼ユニットに設けられた検眼窓間の距離を被検者の瞳孔間距離に調整可能に設けたビジョンテスターが知られている。
【０００３】
このようなビジョンテスターにおいて、左右一対の検眼ユニットの検眼窓は高さが同じで水平方向に配列された状態である。しかし、一般に人間の左眼と右眼の高さは同一ではないため、被検者が左右の眼を左右一対の検眼ユニットの検眼窓に合わせるような姿勢をとって、検眼を行っているのが現状である。
【０００４】
これに対して上述したビジョンテスターには、検眼に際して、左右の検眼ユニットを左右別々に上下動調整可能に設けて、左右の検眼ユニットの検眼窓の高さを被検者の左右眼に合わせることができるようにしたものがある（例えば、特許文献１参照）。
【特許文献１】特開平５−１７６８９６号公報
【発明の開示】
【発明が解決しようとする課題】
【０００５】
しかしながら、このビジョンテスターでは、左右の検眼ユニットを左右別々に上下動調整可能にするための構成が複雑であった。
【０００６】
そこで、この発明は、簡単な構成で左右の検眼ユニットの検眼窓の高さを被検者の左右の眼の高さに合わせることができると共に、左右の検眼窓の高さを被検者の左右の眼の高さに合わせても、正確なデータを得ることができる自覚式検眼装置を提供することを目的とするものである。
【課題を解決するための手段】
【０００７】
この目的を達成するため、この発明は、検眼窓から光学部材を介して視標を視認させることにより被検眼の自覚による検眼をそれぞれ検査する検眼ユニットが一対設けられたユニット支持体を備え、前記ユニット支持体が支持部材に吊下された自覚式検眼装置において、前記一対の検眼ユニットの検眼窓の光軸に同時に直交する線を交差線としたとき、前記ユニット支持体が前記支持部材に前記交差線を傾斜調整可能に前記支持部材に支持され、前記交差線の傾斜角度を検出する傾斜センサが前記ユニット支持体に設けられていると共に、前記光学部材のうち前記被検眼に対する傾斜角度が必要なデータを前記傾斜センサから出力される傾斜信号に基づいて補正する補正手段が設けられている自覚式検眼装置としたことを特徴とする。
【発明の効果】
【０００８】
この構成によれば、簡単な構成で左右の検眼ユニットの検眼窓の高さを被検者の左右の眼の高さに合わせることができると共に、ユニット支持体を傾斜させても、被検眼に対する傾斜角度が必要なデータを前記傾斜センサ２１から出力される傾斜信号に基づいて補正して正確なデータとすることができる。
【発明を実施するための最良の形態】
【０００９】
以下、この発明に係わる自覚式検眼装置の発明の実施の形態を図面を参照しつつ説明する。
[構成]
図１において、１は自覚式検眼装置（ビジョンテスタ）を示す。この自覚式検眼装置１は、視標提示装置（視標提示手段）２、コントローラ（制御手段）３、検眼装置本体４、検眼テーブル５、支柱６、支持アーム７を有する（図２参照）。
【００１０】
この支柱６は上下方向に伸縮可能に検眼テーブル５に取り付けられており、支持アーム７は支柱６に水平回動可能に設けられている。
（検眼装置本体４）
この検眼装置本体４は、支持アーム７の長手方向中間の水平部７ａに固定された支持ケース８と、支持ケース８の下部側に配設したユニット支持体９と、ユニット支持体９の下方に配設した左右対称形の検眼ユニット（光学素子配置手段）１０Ｌ，１０Ｒを有する。
【００１１】
このユニット支持体９は図３，図４に示したように下端が開口する可動ケース１２を有する。この可動ケース１２は、支持アーム７の水平部７ａに沿って延びる上壁１２ａと、上壁１２ａの長手方向に延びる両側縁から下方に向けてそれぞれ延設され且つ互いに対向する縦壁１２ｂ，１２ｃを有する。そして、上壁１２ａの長手方向中央部には挿通孔１３が形成されている。
【００１２】
また、可動ケース１２の上部内には縦壁１２ｂ，１２ｃと直交する支持軸１４が配設されている。この支持軸１４は、挿通孔１３の下方に位置させて縦壁１２ｂ，１２ｃに両端部が固定されている。また、可動ケース１２の上部内には支持ケース８の下部が挿通孔１３を介して挿入され、支持ケース８の下部に支持軸１４が軸受１５，１５を介して回動可能に保持されている。
【００１３】
この支持軸１４と支持ケース８との間には、ユニット支持体９を支持軸１４の軸線を中心に回動操作させて、ユニット支持体９を傾斜させる傾斜調整手段１６が介装されている。この傾斜調整手段１６は、支持軸１４に固定したウオームホイール１７と、支持ケース８に回転自在に保持され且つウオームホイール１７に噛合するウオーム１８を有する。尚、ウオーム１８は支持アーム７の水平部７ａに沿って平行に延びている。また、１８ａはウオーム１８の操作ツマミである。
【００１４】
また、支持ケース８の下端部内には、下端開口に沿って延びるレール取付部材１９が配設されている。このレール取付部材１９の長手方向中央の両側部には上方に向けて突出する突部１９ａ，１９ａが形成されている。この突部１９ａ，１９ａは、支持軸１４に固定されている。尚、レール取付部材１９の両端部は可動ケース１２の長手方向両端部に固定されている。
【００１５】
そして、このレール取付部材１９の下面には、レール取付部材１９に沿って延びるガイドレール２０が固定されている。このガイドレール２０には、検眼ユニット１０Ｌ，１０Ｒが矢印Ｂ１，Ｂ２で示したように相対接近・離反調整可能に支持されている。しかも、検眼ユニット１０Ｌ，１０Ｒの間隔調整は、図示しない送りネジとパルスモータ等の駆動モータ（図示せず）によって行うようになっている。この構成には周知の構成が採用できるので、その詳細な説明は省略する。これにより、図２の検眼ユニット１０Ｌ，１０Ｒの検眼窓Ｌｗ，Ｒｗの光軸間距離を被検者２２の瞳孔間距離に合わせることができるようになっている。
【００１６】
また、可動ケース１２には図２に示したように傾斜センサ２１が取り付けられている。この傾斜センサ（チルトセンサ）１２としては、例えば特開２００５−４９１１７号公報に開示されているようなデジタルカメラ等に用いられているマグネットとホールＩＣを用いた周知の構成のものを採用できるので、その詳細な構成は省略する。尚、傾斜センサとしては他の構造のものを採用できることは勿論である。
（検眼ユニット１０Ｌ，１０Ｒ）
この検眼ユニット[フォロプタ（登録商標）]１０Ｌ，１０Ｒには、上述したように検眼窓Ｌｗ、Ｒｗが設けられている。図１の被検者２２はこの検眼窓Ｌｗ、Ｒｗを通じて視標チャート２を見ることにより視力検査を受けるものである。検眼窓Ｌｗ、Ｒｗには、以下に説明するように各種の光学素子（光学部材すなわち光学部品）が配置され、これにより必要な矯正の程度を測定できるようになっている。
【００１７】
検眼ユニット１０Ｌ，１０Ｒは周知の通り左右対称構造であるので、左側の検眼ユニット１０Ｌ（被検者２２の左眼Ｅを検査する部分）についてのみ図５を参照しつつ説明する。
【００１８】
その図５において、２３は左眼対応部のケースを示す。そのケース２３内には軸２４が設けられ、この軸２４に回転ディスク２５〜２９が回転可能に設けられている。
【００１９】
各回転ディスク２５〜２８には図６に示すように周回り方向に等間隔を開けて円形開口３０が設けられ、回転ディスク２９には図７に示すように周回り方向に等間隔を開けて円形開口３０が設けられている。また、各回転ディスク２５〜２９の外周部には図５に示したようにギヤ２５Ｇ〜２９Ｇが形成されている（図６，図７参照）。
【００２０】
各ギヤ２５Ｇ〜２９Ｇには駆動ギヤＫ１〜Ｋ５が噛み合わされ、駆動ギヤＫ１〜Ｋ５はパルスモータＭ１〜Ｍ５（Ｍ１、Ｍ３、Ｍ４は図５には示されていない）によって回転駆動される。
【００２１】
回転ディスク２５の複数の円形開口３０には、検査用光学素子として、０．２５Ｄずつ球面度数が異なる複数の球面度数レンズ（図示せず）が一枚ずつ嵌合されている。また、回転ディスク２６の複数の円形開口３０には、３Ｄずつ球面度数の異なる複数の球面度数レンズ（図示せず）が１枚ずつ嵌合されている。更に、回転ディスク２７の各円形開口３０には、検査用光学素子として、乱視レンズ（図示せず）がそれぞれ嵌合されている。この各乱視レンズは図示を略す回転制御機構により、各々の光軸を回転中心として回転調整できるようになっている。
【００２２】
また、回転ディスク２８の各円形開口３０には、図示しない検査用補助光学素子としての遮光板、ピンホール、マドックスレンズ、レッドフィルタ、グリーンフィルタ、ロータリプリズム、十字マークがそれぞれ嵌合されている。
【００２３】
尚、回転ディスク２８の複数の円形開口３０のうちの一つには、図６Ａに示したような十字マークＭＬ（検眼ユニット１０Ｒの場合にはＭＲ）が設けられている。
【００２４】
更に、回転ディスク２９には、図７に示すように、クロスシリンダ検査を行うためのクロスシリンダ４１と偏光板４０及び遮光板３０Ｂが装着されるものである。また、回転ディスク２９は太陽歯車３１を備えている。この太陽歯車３１は、大径歯車３２と小径歯車３３とから構成され、小径歯車３３には駆動ギヤＫ６が噛み合わされ、その小径歯車３３はパルスモータＭ６によって回転駆動される。更に、回転ディスク２９の各円形開口３０には、図７に示すようにホルダー３４、３５〜３９が回転可能に設けられている。ホルダー３４には検査用補助光学素子としての偏光板４０が設けられ、ホルダー３５〜３９には検査用光学素子としての度数の異なるクロスシリンダ４１が設けられている。
【００２５】
そのホルダー３４〜３９の外周部にはギヤ４２が設けられ、各ギヤ４２には大径歯車３２が噛み合わされ、ホルダー３４〜３９はパルスモータＭ６によって検査光軸４３の回りに回転可能とされている。
【００２６】
なお、各回転ディスク２５〜２９の円形開口３０には、矯正力をかけない状態での検眼検査を行うために素通しとされているものが少なくとも１個ある。この素通しの開口３０に符号３０Ａを付する。また、各回転ディスク２５〜２９の円形開口３０には素通し開口３０Ａに隣接して被検者２２が図１の視標チャート２ｂを視認することができないようにするため、遮蔽板３０Ｂが設けられている。
【００２７】
左眼検査用の偏光板４０の偏光方向は基準位置では水平方向に対しての偏光方向が１３５度方向を向くように設定されている。これに対して、右眼検査用の偏光板（図示を略す）の偏光方向は４５度方向を向くように設定され、右眼用の偏光板と左眼用の偏光板とは互いに直交する状態で、検眼窓Ｌｗ、Ｒｗにセットされる。
（コントローラ３）
検眼テーブル５には、図１，図２に示したようにコントローラ３が載置されている。このコントローラ３は、図８に示すようにその内部にＣＰＵ（演算制御手段）４３と記憶手段としてのメモリ４４とを有する。しかも、コントローラ３は、操作部３ａ，マウス（選択手段）３ｂ、及びモニター用の液晶表示器（表示手段）３ｃとを備えている。
【００２８】
また、ＣＰＵ４３は、図示しないインターフェースを介して検眼ユニット１０Ｌの駆動制御部であるＣＰＵ４５、及び視標提示装置２の駆動制御部２ａに接続されている。このＣＰＵ４５は、パルスモータ（駆動手段）Ｍ１〜Ｍ６を駆動制御するようになっている。
【００２９】
しかも、操作部３ａやマウス３ｂは、視標提示装置２の視標チャート（図示せず）の選択を行うことができると共に、検眼ユニット１０ＬのパルスモータＭ１〜Ｍ６の駆動制御を行うことができるようになっている。
【００３０】
更に、コントローラ３のＣＰＵ４３には、傾斜センサ２１からの傾斜信号が検眼ユニット１０ＬのＣＰＵ４５を介して入力されるようになっている。
[作用]
次に、このような構成の自覚式検眼装置の作用を説明する。
【００３１】
このような構成において図１の検者４６は、検眼テーブル５の前の椅子５ａに被検者２２を着座させると共に、支持アーム７を支柱６と一体に上下動させて、支持アーム７に吊下した検眼装置本体４の検眼窓Ｌｗ，Ｒｗの高さを被検者２２の眼の高さに略合わせる。尚、被検者２２の瞳孔間距離は検眼ユニット１０Ｌ，１０Ｒの検眼窓Ｌｗ，Ｒｗの光軸間距離と一致させてあるものとする。
【００３２】
この状態で、操作部３ａやマウス３ｂを操作して図８のパルスモータＭ４を駆動制御することにより、図５，図６の回転ディスク２８を回転させて、図６Ａの回転ディスク２８の十字状のマークＭＬを図２Ａに示したように検眼窓Ｌｗに臨ませる。同様にして、検眼ユニット１０Ｒの回転ディスク２８に設けられた十字状のマークＭＬを図２Ａに示したように検眼窓Ｒｗに臨ませる。
【００３３】
そして、検者４６は、図２Ａの検眼ユニット１０Ｌの検眼窓Ｌｗを介して被検者２２の左眼の瞳孔（図示せず）とマークＭＬを視認すると同時に、検眼ユニット１０Ｒの検眼窓Ｒｗを介して被検者２２の右眼の瞳孔（図示せず）とマークＭＲを視認しながら、図２，図２Ａ，図３の操作ツマミ１８ａを正転又は逆転操作して、ウオーム１８を正転又は逆転させる。この際のウオーム１８の正転又は逆転により、ウオームホイール１７が正転又は逆転させられて、ユニット支持体９が図２，図２Ａの矢印Ａ１又はＡ２で示したように時計回り方向又は反時計回り方向に回動させられる。
【００３４】
ここで、検眼窓Ｌｗ，Ｒｗの検査光軸４３，４３′を結ぶ線、即ち検眼窓Ｌｗ，Ｒｗの検査光軸４３，４３′に同時に直交する線を交差線（仮想線）Ａ３とすると、交差線Ａ３はユニット支持体９が図２の矢印Ａ１又はＡ２で示したように時計回り方向又は反時計回り方向に回動させられると右下がり又は左下がりに傾斜させられることになる。この際、交差線Ａ３の傾斜は傾斜センサ２１により検出されて、傾斜センサ２１からの傾斜信号はＣＰＵ４５を介してコントローラ３のＣＰＵ４３に入力される。
【００３５】
このような操作を繰り返しながら被検者２２の左眼の瞳孔（図示せず）とマークＭＬの中心（検査光軸４３）を一致させると同時に、被検者２２の右眼の瞳孔（図示せず）とマークＭＲの中心（検査光軸４３′）を一致させる。この一致したときの傾斜センサ２１からの傾斜信号はＣＰＵ４５を介してＣＰＵ４３に入力され、ＣＰＵ４３は傾斜信号を傾斜データに変換してメモリ４４に記憶させる。
【００３６】
この状態で、検者４６は、操作部３ａやマウス３ｂを用いて、パルスモータＭ１〜Ｍ５を駆動制御すると共に、視標提示装置２の視標チャート（図示せず）の選択を行って、被検者２２の左右眼の各種の検査を行う。
【００３７】
そして、被検者２２の左右眼の乱視チャートテストにおける円柱軸角度やクロスシリンダテストにおけるクロスシリンダの角度、偏光軸の角度、プリズム角度等の測定データが求められると、コントローラ３のＣＰＵ４３はメモリ４４から傾斜データを読み出して、傾斜データに基づいて測定データの角度を補正して、乱視チャートテストにおける円柱軸角度やクロスシリンダテストにおけるクロスシリンダの角度、偏光軸の角度、プリズム角度等の測定データを精確な値にして、液晶表示盤（表示手段）３ｃに表示させる。
（その他）
尚、以上説明した実施例に加えて、図９に示したように各回転ディスク２５〜２９の周縁部の各円形開口３０に対応する部分にアドレスを示す白黒の番地パターン１００を設け、この番地パターン１００を図１０に示した光反射式のセンサ１０１で検出できるようにしても良い。この場合、図１１の操作部３ａやマウス３ｂによって検査項目が選択されたときにＣＰＵ４３及び４５によりパルスモータＭ１（Ｍ２〜Ｍ６）を駆動制御することにより、回転ディスク２５（２６〜２９）を回転制御させるようにする。しかも、センサ１０１が操作部３ａやマウス３ｂによって選択された検査項目のアドレスを検出したときに、パルスモータＭ１（Ｍ２〜Ｍ６）による回転ディスク２５（２６〜２９）の回転を停止させて、選択された検査項目に対応する円形開口３０のレンズ，偏光板，遮光板，ピンホール，フィルタ，プリズム等の光学部品や素通しの開口を各検眼ユニット１０Ｌ（１０Ｒ）のＬｗ（Ｒｗ）に臨ませるようにする。
【００３８】
尚、番地パターン１００は、各円形開口３０の基準位置を検出させる基準位置検出部１０２と、各円形開口３０の番地を読むための番地検出部１０３を有する。この基準位置検出部１０２は各円形開口３０に対して設けられた一つの白色の光反射面である。また、番地検出部１０３には、白色の光反射面と黒色の光吸収面の組み合わせからなる４つの検出部１０３ａ〜１０３ｄからなる白黒パターンが用いられている。
【００３９】
また、センサ１０１は、基準位置を光電的に検出する基準位置検出センサ（光電センサ）１０１ａと、アドレスを光電的に検出する番地検出センサ（光電センサ）１０１ｂを組み合わせたものである。
【００４０】
尚、基準位置検出センサ１０１ａは、検出光を基準位置検出部１０２に投影する発光部（図示せず）と、この検出光の基準位置検出部１０２からの反射光を受光する受光部（図示せず）を有し、受光部（図示せず）が反射光を検出することで、基準位置検出部１０２を検出するようになっている。また、番地検出センサ１０１ｂは、番地検出部１０３の４つの検出部１０３ａ〜１０３ｄにそれぞれ検出光を投影する発光部（図示せず）と、検出光の各検出部１０３ａ〜１０３ｄからの反射光をそれぞれ受光する４つの受光部（図示せず）を有する。そして、４つの受光部（図示せず）からの反射光の有無の組み合わせで、アドレス（番地）を知ることができるようになっている。
【００４１】
しかも、基準位置検出センサ１０１ａが基準位置検出部１０２を検出する位置では、番地検出センサ１０１ｂが番地検出部１０３を検出可能な位置に位置している。
【００４２】
そして、図１１の操作部３ａやマウス３ｂによって検査項目が選択されると、コントローラ３のＣＰＵ４３は検査項目に応じた制御信号を検眼ユニット１０Ｌ，１０ＲのＣＰＵ４５に入力する。このＣＰＵ４５は、ＣＰＵ４３からの制御信号を受けると、この制御信号に応じてパルスモータＭ１（パルスモータＭ２〜Ｍ６）を駆動制御して回転ディスク２５（２６〜２９）を回転制御する。
【００４３】
この際、基準位置検出センサ１０１ａは基準位置検出部１０２を検出して基準位置信号を出力すると、この基準位置信号がＣＰＵ４５に入力される。このＣＰＵ４５は、基準信号が入力されると、パルスモータＭ１（パルスモータＭ２〜Ｍ６）を停止させて、回転ディスク２５（２６〜２９）を停止させる。
【００４４】
この停止位置において、番地検出センサ１０１ｂは、番地検出部１０３の白黒パターンによる番地を検出して、番地信号を出力してＣＰＵ４５に入力する。このＣＰＵ４５は、番地検出センサ１０１ｂからの番地信号が入力されると、入力された番地信号が操作部３ａやマウス３ｂによって選択された検査項目に対応する番地信号であるか否かを判断する。そして、ＣＰＵ４５は、選択された検査項目に対応する番地信号である場合、回転ディスク２５（２６〜２９）を停止させた状態とする。
【００４５】
また、ＣＰＵ４５は、選択された検査項目に対応する番地信号でない場合、基準位置検出センサ１０１ａが次の円形開口３０の基準位置検出部１０２を検出するまでパルスモータＭ１（パルスモータＭ２〜Ｍ６）を駆動制御して回転ディスク２５（２６〜２９）を回転制御し、番地検出センサ１０１ｂからの番地信号が操作部３ａやマウス３ｂによって選択された検査項目に対応する番地信号であるか否かを判断する。
【００４６】
このような制御判断を繰り返すことにより、操作部３ａやマウス３ｂによって選択された検査項目に対応する光学部品や素通しの開口の一つを各検眼ユニット１０Ｌ（１０Ｒ）のＬｗ（Ｒｗ）に臨ませる。このような制御は、各回転ディスク２５〜２９ごとに行われる。
【００４７】
このような構成により、円形開口３０が１２あるディスクでは、ディスクを１回転させることがなく、最大１／１２回転で必要な光学部品や素通しの開口を検眼窓Ｌｗ，Ｒｗに臨ませることができる。
【００４８】
尚、上述した例では、番地パターン１００を白黒のパターンとして光反射式のセンサ１０１で検出させるようにしたが、必ずしもこれに限定されるものではない。例えば、番地パターン１００を光透過式のパターンに変えて、この光透過式の番地パターンを光透過型センサで検出させるようにしても良い。
【００４９】
また、番地パターン１００は回転ディスク２５（２６〜２９）の周縁部の各円形開口３０に対応して設けたが、必ずしもこれに限定されるものではない。例えば、回転ディスク２５（２６〜２９）に連動して回転する円板に設けても良い。この場合、回転ディスク２５（２６〜２９）の各円形開口３０の光学部品や素通しの開口と等価な位置に番地パターンが設けられる。
【００５０】
以上説明したように、この発明の実施の形態の自覚式検眼装置は、検眼窓Ｌｗ，Ｒｗから光学部材を介して視標を視認させることにより被検眼の自覚による検査をする検眼ユニット１０Ｌ，１０Ｒが一対設けられたユニット支持体９を備えている。しかも、前記ユニット支持体９が支持部材（支持アーム７）に吊下されている。また、前記一対の検眼ユニット１０Ｌ，１０Ｒの検眼窓Ｌｗ，Ｒｗの光軸（検査光軸４３，４３′）に同時に直交する線を交差線Ａ３としたとき、前記ユニット支持体９が前記支持部材（支持アーム７）に前記交差線Ａ３を傾斜調整可能に前記支持部材（支持アーム７）に支持され、前記交差線Ａ３の傾斜角度を検出する傾斜センサ２１が前記ユニット支持体９に設けられていると共に、前記光学部材のうち前記被検眼に対する傾斜角度が必要なデータを前記傾斜センサ２１から出力される傾斜信号に基づいて補正する補正手段（コントローラ３又はＣＰＵ４３）が設けられている。
【００５１】
この構成によれば、簡単な構成で左右の検眼ユニット１０Ｌ，１０Ｒの検眼窓Ｌｗ，Ｒｗの高さを被検者の左右の眼の高さに合わせることができると共に、ユニット支持体９を傾斜させても、被検眼に対する傾斜角度が必要なデータを前記傾斜センサ２１から出力される傾斜信号に基づいて補正して正確なデータとすることができる。
【図面の簡単な説明】
【００５２】
【図１】この発明に係る自覚式検眼装置の使用状態を示す斜視図である。
【図２】図１の検眼テーブルを検者側から見た説明図である。
【図２Ａ】図２の検眼装置本体の拡大説明図である。
【図３】図１，図２の検眼装置本体の支持部の断面図である。
【図４】図３の支持軸を通る断面図である。
【図５】図１，２の左眼検査用の検眼ユニットの水平断面図である。
【図６】図５の回転ディスクの説明図である。
【図６Ａ】図５の回転ディスクの一つに設けられる十字マークの説明図である。
【図７】図５の回転ディスクの一つの構成を示す説明図である。
【図８】図１，図２の自覚式検眼装置の制御回路図である。
【図９】図５の回転ディスクの複数の円形開口の位置検出のための構成の一例を示す説明図である。
【図１０】図９の回転ディスクの位置検出のためのセンサの一例を示す説明図である。
【図１１】図１０の回転ディスクの位置検出のための制御回路図である。
【符号の説明】
【００５３】
１…自覚式検眼装置
Ｌｗ，Ｒｗ…検眼窓
１０Ｌ，１０Ｒ…検眼ユニット
９…ユニット支持体
７…支持アーム（支持部材）
４３，４３′…検査光軸（光軸）
Ａ３…交差線
２１…傾斜センサ（チルトセンサ）
３…コントローラ（補正手段、制御手段）
４３…ＣＰＵ（制御手段、補正手段）
【図１】
2007061380.tif 000003
【図２】
2007061380.tif 000004
【図２Ａ】
2007061380.tif 000005
【図３】
2007061380.tif 000006
【図４】
2007061380.tif 000007
【図５】
2007061380.tif 000008
【図６】
2007061380.tif 000009
【図６Ａ】
2007061380.tif 000010
【図７】
2007061380.tif 000011
【図８】
2007061380.tif 000012
【図９】
2007061380.tif 000013
【図１０】
2007061380.tif 000014
【図１１】
2007061380.tif 000015